(57)【特許請求の範囲】
【請求項１】
複数の無線移動端末に対して同一内容のデータを送信するマルチサービス提供手段と、
前記複数の無線移動端末から前記マルチサービスの品質評価結果を収集する品質評価結果収集手段と、
前記マルチサービス毎の品質評価結果に基づき、前記マルチサービスに使用する周波数帯を変更して、前記マルチサービスに使用する無線通信リソースの配分を制御するリソース制御手段と、
を備えたことを特徴とする無線通信システム。 
【請求項２】
前記品質評価結果収集手段が収集した品質評価結果から受信品質レベルの平均値を算出し、当該平均値と閾値との比較によって前記無線通信リソースの配分の変更を実行するか否かを判定する判定手段をさらに備えたことを特徴とする請求項１に記載の無線通信システム。 
【請求項３】
複数の無線移動端末に対して同一内容のデータを送信するマルチサービス提供部と、
前記複数の無線移動端末から前記マルチサービスの品質評価結果を受信する受信品質評価受付部と、
前記マルチサービスを管理する管理装置に対し、受信した品質評価結果を出力する受信品質評価報告制御部と、
前記マルチサービス毎の品質評価結果に基づき、前記マルチサービスに使用する周波数帯を変更して、前記マルチサービスに使用する無線通信リソースの配分を決定する前記管理装置から当該無線通信リストを受け付け、当該無線通信リソースを設定し、当該設定に基づいて前記マルチサービスを実行するマルチサービス実行部と、
を備えたことを特徴とする無線基地局装置。 
【請求項４】
前記受信品質評価報告制御部は、複数の無線移動端末から得られた複数の品質評価結果を一括して前記管理装置に出力することを特徴とする請求項３に記載の無線基地局装置。
【請求項５】
複数の無線移動端末に対して同一内容のデータを送信するマルチサービスを実行する無線基地局と通信し、前記複数の無線移動端末における前記マルチサービスの品質評価結果を収集する品質評価結果収集部と、
前記マルチサービス毎の品質評価結果に基づき、前記マルチサービスに使用する周波数帯を変更して前記マルチサービスに使用する無線通信リソースの配分を決定し、前記無線基地局に対して通知するリソース制御部と、
を備えたことを特徴とするマルチサービス管理装置。 
【請求項６】
前記品質評価結果収集部が収集した品質評価結果から受信品質レベルの平均値を算出し、当該平均値と閾値との比較によって前記無線通信リソースの配分の変更を実行するか否かを判定する判定部をさらに備えたことを特徴とする請求項５に記載のマルチサービス管理装置。
【発明の詳細な説明】
【技術分野】
【０００１】
本発明は、複数の無線移動端末に対して同一内容のデータを送信するマルチサービスを行なう無線通信システム、および当該システムを構築する無線基地局装置、マルチサービス管理装置に関する。
【背景技術】
【０００２】
従来、移動通信システムにおいて実現され、提供されているサービスには、音声通信やパケット通信（電子メールサービスやＷｅｂアクセスサービス）などに代表される、ユーザ固有サービスの他に、ブロードキャストサービス、マルチキャストサービスの様な、不特定多数のユーザに対する情報提供サービスがある。
【０００３】
近年、次世代移動通信システムとして検討されている３Ｇシステム及びＬＴＥ (Long Term Evolution)などのシステムにおいても、同様にユーザ個別サービスや共通データ配信型のサービスを考慮したシステムが検討されている。
【０００４】
このように多数の端末に同一内容のデータを提供するマルチサービスを実現する一つの技術として、ＭＢＳＦＮ(Multimedia Broadcast multicast service Single Frequency Network)に代表される、ユーザデータ同期手法が提案されている。この提案方式はユーザ装置におけるデータ連続受信性やデータ同期性を保つ為に、複数のエリアで送信されるデータにおいて、ある一定の同期期間を設け、異なる無線基地局から送信されるユーザデータの同期を取る事で、ユーザ装置に対してのデータ連続性／データ同期性を確保している。
【０００５】
具体的には、複数の無線基地局（eNodeB）がＭＢＳＦＮエリアを構成している場合、マルチサービスのデータであるＭＢＭＳデータは次のような手順によって無線移動端末（ＵＥ）に配信される。
手順１  マルチサービスを管理する管理装置であるＭＣＥ(Multi-cell/multicast Coordination Entity)は、一つのサービスに対しＭＢＳＦＮエリア内で同一(時間/周波数)の無線リソースを使用するように、配下の無線基地局（eNodeB）とマルチサービスのデータ元であるマルチサービスゲートウェイ（ＥＭＢＭＳ−ＧＷ）を制御する。ここで、無線基地局の制御はＭ２インタフェース経由、マルチサービスゲートウェイの制御はＭ３インタフェース経由で行なう。
手順２  マルチサービスゲートウェイ（ＥＭＢＭＳ−ＧＷ）からＭ１インタフェース経由でＩＰマルチキャストにより、ＭＢＳＦＮエリア内の無線基地局（eNodeB）に対して、ＭＢＭＳデータを配信する。配信されるＭＢＭＳデータには無線基地局（eNodeB）間で同期が取れるように(eNodeB)からの送信タイミングが同一となる様に)、タイムスタンプ等のSYNC情報が設定される。
手順３  無線基地局（eNodeB）は指定されたタイムスタンプ等のSYNC情報に従い、ＭＢＭＳデータを無線移動端末（ＵＥ）に配信する。
【０００６】
一方、移動通信システムにおいては、無線基地局装置（eNodeB)が構成するエリア構成（基地局のサービスエリア範囲）は一様ではなく、置局条件や伝播環境に伴って変化することは自明であり、同一の送信電力などの能力を有する無線基地局であっても、サービス提供可能範囲は異なってくる。
【０００７】
移動局にとっても、同一無線基地局内（セル内）からの受信信号であっても、見通し内伝播路での信号を受信できる様なケースは非常に稀であり、回折波、反射波、遅延波を受信することの方が通例である。
【０００８】
そのため、移動通信システムにおいては、通常、無線移動局装置は、第一希望波（もっとも受信レベルの高い信号や最も早く到達する信号）をメイン信号として扱うことが一般的な環境である。
【０００９】
具体的には、ユニキャストでの通信においては、移動局から現在受信中信号の品質を無線基地局に報告し、無線基地局は、移動局から報告された品質情報を元に、使用する無線リソースの動的制御を行うことにより、適宜移動局の受信品質を改善する。
【００１０】
しかし、ＭＢＳＦＮにおいては、移動局から基地局に対しＭＢＭＳサービスの受信品質を報告する仕組みがない事から、無線基地局は、移動局において受信するＭＢＭＳデータの品質が低下していたとしても、その事象を検出することが出来ないことになる。
【００１１】
従って、受信品質が悪い状態のＭＢＭＳサービスを改善することができない為、移動局においては、該当ＭＢＭＳサービスの所要受信品質を確保できなくなる可能性がある。
【００１２】
すなわち、通常のユニキャストの通信であれば、移動局からＣＱＩや干渉量等の受信品質情報を無線基地局に報告し、無線基地局が移動局からの報告に基づき、割り当てる無線リソースを動的に制御し、受信品質を保持するよう動作する。
【００１３】
一方、上述したようにＭＢＳＦＮエリアにおいては、移動局から無線基地局へ受信品質の報告は検討されていない。従って、ＭＢＳＦＮエリア内で同一サービス(同一チャネル)の遅延波を受信した場合、ＭＢＳＦＮエリア外の隣接するユニキャスト用セルまたはＳＣ−ＭＢＭＳセルから、干渉となる電波を受信した場合、複数のＭＢＳＦＮエリアが形成され、夫々のＭＢＳＦＮエリアが非同期で動作しており、ＭＢＳＦＮエリア間における干渉波を受信した場合、など、ＭＢＭＳサービスの受信品質が劣化する状況が発生した場合に、無線基地局がその事象を検出しても改善する事ができない、という課題があった。
【００１４】
また、ＭＢＳＦＮエリア配下の無線基地局は、ＭＢＭＳサービス毎に同一の無線リソースを共有する事から、移動局から受信品質の報告を行った場合でも、報告を受信した無線基地局が受信品質を改善するために、単独で無線リソースを制御することはできない。この点もＭＢＭＳサービスの受信品質を改善するための課題であった。
【００１５】
なお、複数の無線移動端末に対して同一のデータを送信する場合の受信品質管理について、特許文献１は、配信データの受信品質に最低値を設け、最低値以上の品質で受信している装置のうち、最も受信品質の低い装置に合わせて配点データの品質を設定する技術を開示している。
【００１６】
【特許文献１】特開２００６−３０４０６７号公報
【発明の開示】
【発明が解決しようとする課題】
【００１７】
しかしながら、上述した従来技術では、遅延波や干渉波などによる受信品質の劣化自体を改善する事はできない。また、複数の無線基地局で無線リソースを共有するために、無線基地局単位で受信品質を制御できないというＭＢＭＳの問題点が依然として解決されていなかった。
【００１８】
本件は、上述した従来技術における問題点を解消し、課題を解決するためになされたものであり、移動局のＭＢＭＳ受信品質状態を、無線基地局もしくは、ＭＣＥ(ＭＢＳＦＮ制御部)に対して報告し、ＭＢＭＳサービスに対するリソース再設定制御を行うことで、移動局が受けるＭＢＭＳサービス品質を向上する無線通信システム、無線基地局装置、マルチサービス管理装置を提供することを目的とする。
【課題を解決するための手段】
【００１９】
上述した課題を解決し、目的を達成するために、本無線通信システム、および当該システムを構築する無線基地局装置、無線移動端末装置、マルチサービス管理装置は、複数の無線移動端末に対して同一内容のデータを送信するマルチサービスを提供した場合に、複数の無線移動端末から当該端末におけるマルチサービスの品質評価結果を収集し、品質評価結果に基づいて、マルチサービスに使用する無線通信リソースの配分を制御する。
【発明の効果】
【００２０】
上記によれば、移動局が受けるマルチサービスの品質を向上し、遅延波や干渉波による品質劣化を回避する無線通信システム、無線基地局装置、無線移動端末装置、マルチサービス管理装置を得ることができるという効果を奏する。
【発明を実施するための最良の形態】
【００２１】
以下に、本実施の形態を図面に基づいて詳細に説明する。
【実施例】
【００２２】
図１は、本実施例における無線通信システムの概要構成を説明する概要構成図である。図１に示した無線通信システムは、マルチサービスゲートウェイ（ＥＭＢＭＳ−ＧＷ）１に複数の無線基地局（ｅＮｏｄｅＢ）が接続され、各無線基地局がそれぞれ無線移動局（ＵＥ）と通信している。
【００２３】
マルチサービスゲートウェイ１は、各無線基地局に対してマルチサービスデータを配信し、各無線基地局は受信したマルチサービスデータを自局配下の無線移動局に配信する。例えば、無線基地局１０は、その内部にマルチサービス実行部１１を有し、マルチサービス実行部１１が無線移動局１１０，１２０にマルチサービスデータを送出する。同様に、無線基地局２０は、その内部にマルチサービス実行部２１を有し、マルチサービス実行部２１が無線基地局１３０にマルチサービスデータを送出する。
【００２４】
無線移動局は、それぞれ無線基地局からマルチサービスデータの配信を受けた場合に、その品質を評価し、無線基地局に報告する。例えば、無線移動局１１０，１２０は、それぞれマルチサービス品質評価部１１１，１２１によって自局が受けたマルチサービスの品質を評価し、評価結果を無線基地局１０に報告する。同様に、無線移動局１３０は、マルチサービス品質評価部１３１によって自局が受けたマルチサービスの品質を評価し、評価結果を無線基地局２０に報告する。
【００２５】
無線基地局は、配下の無線移動局からの受信品質の報告を受け付け、マルチサービス制御装置２に出力する。例えば、無線基地局１０では、受信品質報告受付部１３が無線移動局１１０，１２０からの報告を受け、受信品質報告制御部１２が報告を一括してマルチサービス制御装置２に出力する。同様に、無線基地局２０では、受信品質報告受付部２３が無線移動局１３０からの報告を受け、受信品質報告制御部２２がマルチサービス制御装置２に報告を出力する。
【００２６】
マルチサービス管理装置（ＭＣＥ）２では、受信品質判定部２ｂが各無線基地局から報告を受けることで、マルチサービスのエリア全域から無線移動局の受信品質を収集し、受信品質を評価する。そして、リソース配分処理部２ａは、受信品質判定部２ｂの評価結果に基づいてマルチサービスのリソース配分を決定し、各無線基地局に通知する。
【００２７】
すなわち、図１に示した無線通信システムは、ＭＢＭＳサービスを提供する場合に、該当サービスの品質状態を受信対象の移動局から収集し、ＭＢＭＳサービスの送信制御を適宜実施する事で、ＭＢＭＳサービスの移動局における受信品質を常に最良のものに制御する。
【００２８】
図２は、図１に示した無線通信システムの処理動作について説明するフローチャートである。図２に示したフローチャートでは、ます、マルチサービスゲートウェイ（ＭＢＭＳ−ＧＷ）が、ＭＢＳＦＮエリア内にＭＢＭＳデータを送信する（ステップＳ１０１）。つぎに、各無線基地局（ｅＮｏｄｅＢ）が、受信した同期情報（Ｓｙｎｃ情報）に則って、無線移動局に対するデータ送信を実行する（ステップＳ１０２）。
【００２９】
ＭＢＳＦＮサービスエリア内の無線移動局は、ＭＢＭＳサービスを受け（ステップＳ１０３）、ＭＢＭＳデータ部分の受信品質を測定する（ステップＳ１０３）。そして、測定した受信品質を、無線基地局装置を介してマルチサービス制御装置（ＭＢＳＦＮ制御部）へ報告する（ステップＳ１０５）。
【００３０】
マルチサービス制御装置は、無線移動局から測定した受信品質の報告を受信し（ステップＳ１０６）、無線移動局から受信した品質情報から該当MBMSサービスの再設定処理の必要性を判定する（ステップＳ１０７）。この判定は、例えば報告された品質の劣化率と判定閾値との比較によって行なう。
【００３１】
マルチサービス制御装置２は、再制御が必要と判定するまでは、ステップＳ１０６とステップＳ１０７を繰り返し、再制御が必要と判定した場合には（ステップＳ１０７，Ｙｅｓ）、該当ＭＢＭＳサービスに新しいリソースを割り当てる（ステップＳ１０８）。そして、無線基地局に設定変更を通知して新たに割り当てる無線リソースにてＭＢＭＳサービスを配信し（ステップＳ１０９）、その上で初期状態（ステップＳ１０１）に移行する。
【００３２】
このように、移動局は、ＭＢＭＳデータ受信時に受信品質状態を測定し、無線基地局を介してマルチサービス管理装置へ報告する。また、無線基地局とマルチサービス管理装置は、移動局から収集した受信品質情報から、該当ＭＢＭＳデータに割り当てる無線リソースを適宜変更する事により、ＭＢＳＦＮエリア内におけるMBMSサービスの受信品質を保持することを可能とする。
【００３３】
図３は、図１に示した無線通信システムの処理を説明する説明図である。具体的には、複数の無線移動局が同一のＭＢＭＳサービス受信中の状態にて、該当ＭＢＭＳサービスへ割り当てる無線リソースを再設定する動作のシーケンス図である。
【００３４】
動作（１）では、無線移動局（ＵＥ＃１〜ＵＥ＃４）がＭＢＳＦＮａｒｅａ＃１に在圏し、ＭＢＭＳサービス(Ｓｅｒｖｉｃｅ＃１)を受信中の状態である。マルチサービスゲートウェイ（ＥＭＢＭＳ−ＧＷ）より無線基地局（ｅＮｏｄｅＢ＃１〜ｅＮｏｄｅＢ＃３）へＭＢＭＳデータがＩＰマルチキャストにて配信される。
【００３５】
動作（２）では、無線基地局（ｅＮｏｄｅＢ＃１〜ｅＮｏｄｅＢ＃３）から、ＳＹＮＣ情報に従って同一タイミングにてＳｅｒｖｉｃｅ＃１のＭＢＭＳデータが無線移動局（ＵＥ）に対して配信される。
【００３６】
無線移動局（ＵＥ＃１〜ＵＥ＃４）は、Ｓｅｒｖｉｃｅ＃１のＭＢＭＳデータを受信すると、受信したＭＢＭＳデータの受信品質を測定する。この時、本実施例では無線移動局ＵＥ＃１はＲＲＣ＿ＩＤＬＥ状態、無線移動局（ＵＥ＃２〜ＵＥ＃４）はＲＲＣ＿ＣＯＮＮＥＣＴＥＤ状態である。
【００３７】
動作（３）では、無線移動局（ＵＥ＃１〜ＵＥ＃４）は、動作（２）にて測定したＳｅｒｖｉｃｅ＃１の受信品質を無線基地局（ｅＮｏｄｅＢ＃１〜ｅＮｏｄｅＢ＃３へ）報告する。
【００３８】
図４は、無線移動局が無線基地局に受信品質測定結果を報告する受信品質報告処理フローである。まず、無線移動局は、ＭＢＭＳサービス受信中（ステップＳ２０１，Ｙｅｓ）の場合は、該当ＲｅｓｏｕｒｃｅＢｌｏｃｋの受信品質を測定した後、測定結果を無線基地局へ報告する。この際、ＩＤＬＥ状態の無線移動局もＭＢＭＳサービスを受信する事が可能であることから、無線移動局のＲＲＣコネクションの状態により２通りの手順となる。
【００３９】
（＊１）ＲＲＣ＿ＣＯＮＮＥＣＴＥＤ状態の無線移動局（ステップＳ２０３，Ｙｅｓ）では、ＭＥＡＳＵＲＥＭＥＮＴ ＲＥＰＯＲＴ(ＤＣＣＨ)にて測定結果を報告（ステップＳ２０４）し、ステップＳ２０１に戻る。
【００４０】
（＊２）ＭＢＭＳ受信中（ステップＳ２０１，Ｙｅｓ）だが、ＲＲＣ＿ＩＤＬＥ状態の無線移動局（ステップＳ２０３，Ｎｏ）は、ＲＡ ｐｒｏｃｅｄｕｒｅを起動する（ステップＳ２０５）ことにより、ＭＳＧ３(ＲＲＣ ＣＯＮＮＥＣＴＩＯＮ ＲＥＱＵＥＳＴ相当のＭＥＳＳＡＧＥ(ＣＣＣＨ))を用いて、測定結果を報告し（ステップＳ２０６）、ステップＳ２０１に戻る。
【００４１】
また、ＭＢＭＳ受信中ＲＲＣ_ＩＤＬＥ状態の無線移動局が、ＲＲＣ＿Ｃｏｎｎｅｃｔｅｄ状態へ移行し、（＊１）の方式にてＭｅａｓｕｒｅｍｅｎｔ Ｒｅｐｏｒｔを送信する事で同効果が得られる事は上記技術より想定できる手法の一つである。
【００４２】
この時、ＭＢＭＳサービスが区別できるように、ＲＲＣ ＣＯＮＮＥＣＴＩＯＮ ＲＥＱＵＥＳＴ相当のＭｅｓｓａｇｅ、又はＭＥＡＳＵＲＥＭＥＮＴ ＲＥＰＯＲＴに対し、図５に示すパラメータを新規に定義する。但し、図５内のCell-IDについては、既に定義されているものがあればそれを使用する。尚、無線移動局は複数のＭＢＭＳサービスを受信が可能であるため、サービス毎に受信品質を報告できる形式とする。
【００４３】
図５に示したＭＢＭＳ受信品質報告用追加パラメータでは、ＭＢＳＦＮエリアを識別するＩＤである「MBSFN Area ID」、セルを識別するＩＤである「Cell ID」、CCCHで報告する場合にUEを識別するID(C-RNTI等)である「UE-ID」、ＭＢＭＳサービス(チャネル)を識別するＩＤである「Service ID」、ServiceIDが示すＭＢＭＳサービスの受信品質測定値である「受信品質」の項目を追加している。なお、本識別情報は一例であり、名称やパラメータ共に、これに限定するものではない。
【００４４】
図３にもどり、動作（４）では、無線基地局（ｅＮｏｄｅＢ）は、無線移動局（ＵＥ）から最初の報告を受信してから、一定時間その他のＭＢＭＳ受信中の無線移動局ＵＥからの測定結果報告を待ち合わせる。一定時間経過後、それまでに受信した無線移動局（ＵＥ）の報告から、受信品質レベルを判定し、サービス単位で下記情報を集計する。
【００４５】
図６は、無線基地局（ｅＮｏｄｅＢ）が、無線移動局（ＵＥ）からの報告を受信してからＭＢＭＳ受信品質報告をMCEへ送信するまでの処理動作を示すＭＢＭＳ受信品質報告処理フローである。図６に示したように、無線基地局は、サービス単位で受信無線移動局数のカウント（ステップＳ３０１）と、受信品質レベルの判定（ステップＳ３０２）を行ない、これを移動局単位で繰り返す。
【００４６】
そして、ＭＢＳＦＮ  Ａｒｅａ  ＩＤから報告先のマルチサービス管理装置（ＭＣＥ）を特定し（３０３）、ＭＢＭＳ受信品質報告を送信して（ステップＳ３０４）、処理を終了する。
【００４７】
この時、Ｍ２インタフェース(マルチサービス管理装置と無線基地局との間のインタフェース)で、図７に示したパラメータをＭＣＥへ通知するためのメッセージに新規に追加する。
【００４８】
図７に示したスケジューリング再設定要求用パラメータでは、ＭＢＳＦＮエリアを識別するＩＤである「MBSFN Area ID」、セルを識別するＩＤである「Cell ID」、MBMSサービス(チャネル)を識別するIDである「Service ID」、ServiceIDで示されたMBMSサービスを受信している全UE数（eNodeB）が報告待ち中の間に受信品質を報告したUE数）を示す「受信UE数」、ServiceIDで示されたMBMSサービスにおいて、各受信品質レベルのUE数を示す「受信品質レベルUE数[1]」〜「受信品質レベルUE数[N]」の項目を追加している。なお、本識別情報は一例であり、名称やパラメータ共に、これに限定するものではない。      
【００４９】
図３にもどり、動作（５）では、マルチサービス管理装置（ＭＣＥ）は、ＭＢＳＦＮエリア配下の無線基地局（ｅＮｏｄｅＢ）からＭＢＭＳ受信品質報告を受信する。この時、最初のＭＢＭＳ受信品質報告の受信から一定時間、ＭＢＳＦＮエリア内のその他の無線基地局ｅＮｏｄｅＢからＭＢＭＳ受信品質の報告を待ち合わせる。
【００５０】
一定時間待ち合わせた後、それまでに受信した受信品質報告の情報から、数式（１）に従い、受信品質レベル別の無線移動局数を集計及び、ＭＢＭＳサービス単位におけるＭＢＭＳ受信品質レベル平均を算出する。図８は、マルチサービス管理装置（ＭＣＥ）における受信品質レベル別の無線移動局数情報の収集例である。
【数１】
0005115273.tif 000002
【００５１】
図３にもどり、動作（６）では、動作（５）にて算出したＭＢＭＳサービス単位での受信品質レベル平均と、マルチサービス管理装置ＭＣＥ内に保持している受信品質レベル指標値を比較し、指標としている品質よりも低い受信品質である場合、マルチサービス管理装置（ＭＣＥ）は、該当のＭＢＭＳサービスにて使用しているリソースブロックから、周波数軸方向に割当可能な空きリソースブロックがないかどうかを検索し、使用可能な空きリソースブロックがあった場合に、配下の全無線基地局に対して、新しく割り当てたリソースブロックでMBMSサービスを配信するように通知する。
【００５２】
図９は、マルチサービス管理装置（ＭＣＥ）における再スケジューリング設定フローチャートである。また、図１０は、マルチサービス管理装置（ＭＣＥ）におけるリソースの再割当てを説明する説明図である。
【００５３】
図９では、まず、マルチサービス管理装置は、受信品質レベルをサービス単位および無線基地局（ｅＮｏｄｅＢ）単位で集計し（ステップＳ４０１）、受信品質の平均値をサービスごとに算出する（ステップＳ４０２）。
【００５４】
算出した平均値が閾値以上であれば（ステップＳ４０３，Ｎｏ）そのまま処理を終了するが、平均値が閾値未満であれば（ステップＳ，Ｙｅｓ）、無線通信リソースから割り当て可能なリソースを検索する（ステップＳ４０４）。
【００５５】
その結果、無線通信リソースに空きリソースブロックが存在する場合（ステップＳ４０５，Ｙｅｓ）、空きリソースにサービスを割り当てて無線基地局に再スケジューリング設定通知を行い（ステップＳ４０６）、処理を終了する。
【００５６】
図１０では、Ｓｅｒｖｉｃｅ＃１の受信品質平均値が閾値未満である状態であり、Ｓｅｒｖｉｃｅ＃１が利用しているタイムスロット＃０の、異なる周波数スロットに空きリソースを検索し、空きリソースであったリソースブロックＲＢ＃１にＳｅｒｖｉｃｅ＃１の再割り当てを行なっている。
【００５７】
また、無線基地局（ｅＮｏｄｅＢ）へ別リソースを通知するため、Ｍ２インタフェースのメッセージを追加し、図１１に示した情報要素をｅＮｏｄｅＢへ通知する。図１１に示した再スケジューリング設定通知用パラメータでは、ＭＢＳＦＮエリアを識別するＩＤである「MBSFN Area ID」、セルを識別するＩＤである「Cell ID」、MBMSサービス(チャネル)を識別するIDである「Service ID」、ServiceIDが示すMBMSサービス(チャネル)にて使用する新リソースの情報である「リソース情報」の情報要素を追加している。なお、本識別情報は一例であり、名称やパラメータ共に、これに限定するものではない。
【００５８】
図３にもどり、動作（７）では、無線移動局（ＵＥ）は、動作（６）にて無線基地局（ｅＮｏｄｅＢ）から通知された、新たな無線リソースにてＭＢＭＳサービスの受信を開始する。
【００５９】
以上の説明から、ＭＢＳＦＮエリア内で同一サービス(同一チャネル)の遅延波を受信した場合、ＭＢＳＦＮエリア外の隣接するユニキャスト用セルまたはＳＣ−ＭＢＭＳセルから、干渉となる電波を受信した場合、複数のＭＢＳＦＮエリアが形成され、夫々のＭＢＳＦＮエリアが非同期で動作しており、ＭＢＳＦＮエリア間における干渉波を受信した場合、など、ＭＢＭＳサービスの受信品質が劣化する状況が発生した場合に、無線基地局がその事象を検出して改善する事ができる。
【００６０】
例えば、図１２に示したように、ある無線移動局が、無線基地局eNodeB#2から期待するＭＢＭＳサービス(Service#1)のデータ受信時に、同時に無線基地局eNodeB#5からの別の無線移動局に対する同一リソースを使用したユニキャスト通信のデータを受信する事となった場合、干渉が発生し受信品質が低下する。また、無線基地局eNodeB#5からのユニキャスト通信の送信電力によっては受信品質の低下度合いも大きくなるが、本実施例に示した手順を実施する事により、該当サービス(Service#1)を新たなリソースにて受信する事が可能となり、干渉にする受信品質低下を解消することができる。
【００６１】
つぎに、無線通信システムの具体的な構成例について説明する。図１３は、マルチサービス管理装置（ＭＣＥ）２の構成例について説明する概要構成図である。マルチサービス管理装置２は、その内部に制御部２ｃとＭＳＢＦＮ制御部２ｅとを有する。
【００６２】
制御部２ｃは、伝送路インタフェース部２ｄを介して上位装置や無線基地局装置と通信する。ＭＢＳＦＮ制御部２ｅは、ＭＢＳＦＮエリアにおけるＭＢＭＳサービスの無線リソースの設定およびスケジューリングの制御を行い、図１に示したリソース配分処理部２ａ、受信品質判定部２ｂとして動作する。また、ＭＢＳＦＮ制御部２ｅは、その内部に判定閾値を保持する記憶部２ｆを有する。
【００６３】
図１４は、無線基地局１０の構成例について説明する概要構成図である。無線基地局１０は、アンテナ１４、屋外受信増幅器１５、無線接続部１６、ゲートウェイ接続部１７を有する。
【００６４】
無線接続部１６は、無線移動局との接続を行なう処理部であり、送信増幅器１６ａ、無線送受信部１６ｂ、インタフェース部１６ｃからなる。また、ゲートウェイ接続部１７は、インタフェース部１７ａ、ベースバンド処理部１７ｂ、伝送路インタフェース部１７ｃ、制御部１８を有する。
【００６５】
制御部１８は、呼処理制御機能部１８ａ、リソース管理機能部１８ｂ、パラメータなどを記憶する記憶部１８ｃなどを有し、無線移動局からの受信品質報告データの管理、格納、及びＭＢＳＦＮ制御部への報告制御処理を実現する。
【００６６】
図１５は、無線移動局１１０の構成例について説明する概要構成図である。 無線移動局１１０は、ＲＦ部１１２、ベースバンド部１１３、制御部１１４、記憶部１１５、スピーカ及びマイク１１６を有する。
【００６７】
ＲＦ部１１２は、ＤＵＰ（Duplexer：分配器)、ＰＡ（Power Amp：信号増幅器) 、ＴＸ（Transmitter：送信器)、ＲＸ（Receiver：受信器)、Frequency Synthesizer、Analog Front Endによって構成され、ベースバンド部１１３は、L1 Modem CH codec、Audio Interface、Base band & RF controlによって構成される。
【００６８】
制御部１１４は、無線チャネル管理・品質管理・モビリティ管理などを実施し、Base band & RF controlにてMBMSサービスの受信品質測定を行い、制御部１１４にて測定データの記憶部１１５への格納と管理及び、無線基地局への報告を行う。
【００６９】
上述してきたように、本実施例に係る無線通信システムは、ＭＢＳＦＮエリアにおけるＭＢＭＳサービスにおいて、無線移動局（ＵＥ）は受信中のＭＢＭＳサービス毎の受信品質を報告し、無線基地局（ｅＮｏｄｅＢ）およびマルチサービス管理部（ＭＣＥ）にて受信品質に応じた無線リソースの再設定制御を行う事により、ＭＢＭＳサービス単位での受信品質を改善する事が可能となる。
【００７０】
また、複数のＭＢＳＦＮエリアが、隣接、または重なりあっている様なエリア構成、もしくは複数のＭＢＳＦＮエリアが非同期にサービス提供されている場合、ＭＢＳＦＮ間のリソース割当制御を実施させる事が可能となる。現在の移動通信システムでは、無線移動局（ＵＥ）の移動環境に対応する為に、そのエリア境界のエリア重複率は50%以上であるエリアも存在するが、同等のエリア構成にMBMSサービスを適用した場合、該当エリア内の在圏移動局全体の品質確保に寄与する事が可能となる。
【図面の簡単な説明】
【００７１】
【図１】本実施例における無線通信システムの概要構成を説明する概要構成図である。
【図２】無線通信システムの処理動作について説明するフローチャートである。
【図３】無線通信システムの処理を説明する説明図である。
【図４】無線移動局による受信品質報告処理のフローチャートである。
【図５】ＭＢＭＳ受信品質報告用追加パラメータを説明する説明図である。
【図６】無線基地局の処理動作を説明するフローチャートである。
【図７】スケジューリング再設定要求用パラメータを説明する説明図である。
【図８】マルチサービス管理装置の無線移動局数情報の収集例について説明する説明図である。
【図９】マルチサービス管理装置における再スケジューリング設定フローチャートである。
【図１０】マルチサービス管理装置（ＭＣＥ）におけるリソースの再割当てを説明する説明図である。
【図１１】再スケジューリング設定通知用パラメータを説明する説明図である。
【図１２】リソースの再配分による干渉の回避について説明する説明図である。
【図１３】マルチサービス管理装置の構成例について説明する概要構成図である。
【図１４】無線基地局の構成例について説明する概要構成図である。
【図１５】無線移動局の構成例について説明する概要構成図である。
【符号の説明】
【００７２】
１    マルチサービスゲートウェイ
２    マルチサービス制御装置
２ａ  リソース配分処理部
２ｂ  受信品質判定部
２ｃ  制御部
２ｄ  伝送路インタフェース部
２ｅ  ＭＢＳＦＮ制御部
２ｆ  記憶部
１０，２０  無線基地局
１１，２１  マルチサービス実行部
１２，２２  受信品質報告制御部
１３，２３  受信品質報告受付部
１４    アンテナ
１５    屋外受信増幅器
１６    無線接続部
１６ａ  送信増幅器
１６ｂ  無線送受信機能部
１６ｃ，１７ａ  インタフェース部
１７    ゲートウェイ接続部
１７ｂ  ベースバンド処理機能部
１７ｃ  伝送路インタフェース部
１８    制御部
１８ａ  呼処理機能部
１８ｂ  リソース管理部
１８ｃ  記憶部
１１０，１２０，１３０  無線移動局
１１１，１２１，１３１  マルチサービス品質評価部
【図１】
0005115273.tif 000003
【図２】
0005115273.tif 000004
【図３】
0005115273.tif 000005
【図４】
0005115273.tif 000006
【図５】
0005115273.tif 000007
【図６】
0005115273.tif 000008
【図７】
0005115273.tif 000009
【図８】
0005115273.tif 000010
【図９】
0005115273.tif 000011
【図１０】
0005115273.tif 000012
【図１１】
0005115273.tif 000013
【図１２】
0005115273.tif 000014
【図１３】
0005115273.tif 000015
【図１４】
0005115273.tif 000016
【図１５】
0005115273.tif 000017